(57)【要約】      （修正有）【課題】ハウス内部に簡易に設置することで、農薬・肥料の散布作業を効率的かつ安全に行え、また運搬手段の設置に兼用できる農作物ハウス簡易型散布装置を提供する。【解決手段】ガイドレールＲ内を走行する車輪に支持された吊り枠の前後一対の垂下フレーム８１，８２に複数の軸受け手段を設け、軸手段を有する散布用枠に上向きコの字状の嵌め込み手段１４が取付けられているので、前後一対の垂下フレームに散布手段を安定よく支持して、農薬や肥料を散布できる。また、複数の軸受け手段を有し、所望の軸受け部に、散布用枠の軸手段を取付けることで、散布手段は所望の高さに選択的に取付け支持できる。しかも、上向きコの字状の嵌め込み手段を前記ガイドレールと直交方向に取付けてあるので、水平のパイプからなる散布器１２を回転不能に嵌め込むことかできる。【選択図】図４
0003165420.tif 000002
【実用新案登録請求の範囲】
【請求項１】
温室本体の奥行き方向に設置されたガイドレールの内部で回転する車輪で移送する構造において、
前後の吊り具で前記車輪に支持された吊り枠の前後一対の垂下フレームに複数の軸受け手段を設け、軸手段を有する散布用枠に上向きコの字状の嵌め込み手段が前記ガイドレールと直交方向に取付けられる構造となっていることを特徴とする農作物ハウス用の簡易移送装置。
【請求項２】
前記嵌め込み手段に回転不能に水平のパイプを嵌め込み、該水平のパイプに噴霧ノズルを設けるか又は噴霧ノズルを設けた鉛直パイプを取付けてあることを特徴とする請求項１に記載の農作物ハウス用の簡易移送装置。
【請求項３】
前記軸受け手段に軸手段を取付けた状態では軸手段が回転不能な構造であることを特徴とする請求項１又は請求項２に記載の農作物ハウス用の簡易移送装置。
【請求項４】
運搬手段の上部に前記軸手段を有する構造となっていることを特徴とする請求項１又は請求項２に記載の農作物ハウス用の簡易移送装置。
【考案の詳細な説明】
【技術分野】
【０００１】
本考案は農作物ハウス内の農薬・肥料散布を安全容易に行なえるようにした農作物ハウス簡易型散布装置に関するものである。
【背景技術】
【０００２】
現在、農作物ハウス内の農薬・肥料散布は、散布用ホースを引きずって歩きながら行っている為に時間がかかる、また農薬による障害が問題であった。特許文献１のように、農薬を自動で散布する装置もあるが、高価な為、導入することが困難である。また、用途が限定さたり、装置が特殊な構造の為故障時に修理時間がかかる等の問題があった。
特許文献２の構造もハウスの奥行き方向にガイドレールを有しているが、ゴンドラ専用である。
【先行技術文献】
【特許文献】
【０００３】
【特許文献１】特許第３００２７３０号
【特許文献２】実用新案登録第３１０４６８７号
【考案の概要】
【考案が解決しようとする課題】
【０００４】
本考案では、上記問題を解決するためハウス内部に簡易に設置することで、農薬・肥料の散布作業を効率的かつ安全に行える農作物ハウス簡易型散布装置を提供すると共に運搬手段の設置に兼用できることを目的とする。
【課題を解決するための手段】
【０００５】
請求項１は、温室本体の奥行き方向に設置されたガイドレールの内部で回転する車輪で移送する構造において、
前後の吊り具で前記車輪に支持された吊り枠の前後一対の垂下フレームに複数の軸受け手段を設け、軸手段を有する散布用枠に上向きコの字状の嵌め込み手段が前記ガイドレールと直交方向に取付けられる構造となっていることを特徴とする農作物ハウス用の簡易移送装置である。
軸受け部の構成は、軸手段を受けて支持できる構造であれば足りる。また、軸手段の構成は、軸受け部に取付けて支持できれば、軸受け手段に取付けて支持される部分以外はアングル状でもパイプ状でも中実状でもよい。
【０００６】
請求項２は、前記嵌め込み手段に回転不能に水平のパイプを嵌め込み、該水平のパイプに噴霧ノズルを設けるか又は噴霧ノズルを設けた鉛直パイプを取付けてあることを特徴とする請求項１に記載の農作物ハウス用の簡易移送装置である。
【０００７】
請求項３は、前記軸受け手段に軸手段を取付けた状態では軸手段が回転不能な構造であることを特徴とする請求項１又は請求項２に記載の農作物ハウス用の簡易移送装置である。
【０００８】
請求項４は、運搬手段の上部に前記軸手段を有する構造となっていることを特徴とする請求項１又は請求項２に記載の農作物ハウス用の簡易移送装置である。
【考案の効果】
【０００９】
請求項１によると、ガイドレール内を走行する車輪に前後の吊り具を介して天井枠が支持された吊り枠の前後一対の垂下フレームに複数の軸受け手段を設け、軸手段を有する散布用枠に上向きコの字状の嵌め込み手段が取付けられる構造となっているので、前後一対の垂下フレームに散布手段を安定よく支持して、農薬や肥料を散布できる。また、複数の軸受け手段を有し、所望の軸受け部に、散布用枠の軸手段を取付けることで、散布手段は所望の高さに選択的に取付け支持できる。コの字状の嵌め込み手段を用いているので、水平のパイプを回転不能に嵌め込むのに好都合である。
【００１０】
請求項２によると、前記嵌め込み手段に回転不能に水平のパイプを嵌め込み、該水平のパイプに図５のように噴霧ノズルＮを設けたり又は図４のように噴霧ノズルＮを設けた鉛直パイプを畝間などに合わせて取付けてあるので、水平のパイプを交換するだけで、図５のような散布器で畑全面に散布したり、図４のような散布器で植物の側面に散布したりできる。
【００１１】
請求項３によると、前記軸受け手段に軸手段を取付けた状態では軸手段が回転不能な構造であるので、長いパイプ状の散布手段を使用しているにも係わらず、農薬や肥料の散布手段が回動して、地面との間隔が変化したりする恐れがなく、均一な散布が可能となる。
【００１２】
請求項４のように、ゴンドラなどの運搬手段の上部に前記軸手段を有する構造にすれば、散布器の移送と運搬手段の移送を兼用できるので便利である。この場合、運搬手段は揺れても支障ないので、軸受け部に支持される軸手段が回動する構造でも差し支えない。
【図面の簡単な説明】
【００１３】
【図１】ハウス内におけるガイドレールを示す図である。
【図２】ガイドレールの断面方向を示す図である。
【図３】ガイドレールの内部と吊り枠を示す図である。
【図４】吊り枠の最上段に鉛直散布器を支持した図である。
【図５】吊り枠の最下段に水平散布器を支持した図である。
【図６】各種散布器による散布状態を示す図である。
【図７】軸受け部の詳細を示す側面図である。
【図８】運搬用のゴンドラをガイドレールに支持した斜視図である。
【考案を実施するための形態】
【００１４】
本考案に係る農作物ハウス簡易型散布装置について、好ましい実施形態を図１〜図７を参照しながら詳細に説明する。図１は、本考案によるハウスの全容を示す断面図で、アーチ形を例示してある。温室や強風避けなどを目的としたハウスには、全体骨組がパイプで構成された簡易型と鉄骨で構成された耐久型とが有るが、本考案はいずれにも適用できる。図１は簡易型のパイプハウスの例であり、左右の側面支柱１、２の上端にアーチ状の屋根パイプ３を連結したパイプ骨組が、紙面と垂直方向すなわち温室本体の奥行き方向に等間隔に多数配設されている。
そして、各パイプ骨組を連結するための棟パイプＰ１、側面パイプＰ２、肩部パイプＰ３、中部パイプＰ４、Ｐ５が水平方向に配設され、互いに連結固定されている。左右の肩部間は陸梁パイプ４で連結され、各陸梁パイプ４間は、必要に応じて水平方向のセンターパイプＰ６で連結される。そして、各陸梁パイプ４のセンター部と各屋根パイプ３の棟部との間は鉛直パイプ５で連結されている。
本考案では、各陸梁パイプ４を利用して、ガイドレールＲを配置固定し、ゴン  ドラＧを吊り下げ支持したり、図２以下で詳述する散布器を吊り下げ支持して走行させる。
【００１５】
図２は、レールＲ部の断面図であり、コの字状に形成した１対のボルト６・６を前記陸梁パイプ４を跨がるように取付けた状態で、Ｌ形に折り曲げた取付け板７・７でレールＲを前記陸梁パイプ４に押し着けるようにして取付けてある。なお、Ｃ鋼を下向きに取り付けてなるレールＲの両側壁にＬ形の１辺を溶接してある。
図２はＡ−Ａ方向の断面図であり、前記レールＲ中で走行する前後１対の車輪Ｗ・Ｗの車軸に吊り枠８を吊り具９で吊っている。この図から明らかなように、図２以下の実施形態では、断面四角パイプ４を使用している。
図２、図３から明らかなように、Ｃ鋼から成るレールＲの一対の平板部に前後１対の車輪Ｗ・Ｗを設けることによって、車輪が前後ダブルになっていて、計４個の車輪で１組の車輪群を構成しているので、安定よく走行できる。
なお、図示のレールＲは断面Ｃ字状であるが、Ｈ字状の鋼材を寝かせて用い、左右の外側から車輪Ｗ・Ｗを一対の平板部の上に挿入した構成も可能である。
【００１６】
図３に示すように、２組の車輪群を間隔をおいて設けることで前後２か所で吊り枠８を吊り下げている。図４、図５は、この吊り枠８の詳細を示す斜視図であり、左右の垂下枠８１・８２の上端を、天井枠８３で連結した構造になっている。
左右の垂下枠８１・８２は例えばアングルの１辺を内側に向け、もう１辺を同じ向きに配置してある。なお、天井枠８３も同じくアングル材を使用し、その１辺を下向きに、吊り具９を取付けるもう１辺を水平に配置してある。
そして、左右の垂下枠８１・８２の同じ向きに配置した辺に、軸パイプ１０の両端を嵌め込むための軸受け凹部１１を複数段に形成してある。図４は、軸パイプ１０を最上段の軸受け凹部１１に、図５は、軸パイプ１０を最下段の軸受け凹部１１に取付けた例である。従って、軸パイプ１０と連結される散布手段１２や図８の運搬用ゴンドラＧの取付け高さを所望の高さに選定できる。
【００１７】
この軸パイプ10に直接にパイプ状の散布器１２を設ける構造も可能だが、図示の散布装置は、軸パイプ10の下側に上向きコの字状の枠体を取付け、その下部軸１３に上向きコの字状の嵌め込み手段１４をレールＲと直交方向に垂下させてある。そして、直線パイプ状の散布器１２を、上向きコの字状の嵌め込み手段１４中に嵌め込んである。なお、コの字状の嵌め込み手段１４を天井枠８３に垂下固定することも可能である。
供給ホースが接続される散布器１２が、コの字状の嵌め込み手段１４中で回転しないように、断面四角のパイプ状に形成すると共に、図５では四角パイプ１２に所定間隔で噴霧ノズルＮを設けて、農薬や液体肥料を散布可能な構成にしてある。なお、散布器１２として丸パイプを使用し、コ字状の嵌め込み手段１４中に嵌入する部分だけ四角状の部材を固設してもよい。
一方図４では、一定間隔に噴霧ノズルＮを設けた鉛直パイプ１５を前記四角パイプ１２に所定の間隔で配管して、菊などの植物の側方から散布可能な構造になっている。このとき、各鉛直パイプ１５ごとに供給ホースを配管してもよい。
【００１８】
図６は、連続した３棟ハウスの内部に吊り枠８を設けると共にその中の１棟内で農薬などを散布している状態である。
すなわち、図６の（１）は、アーチ状ハウスで図４の鉛直パイプ１５の噴霧ノズルＮで散布している状態である。これに対し、図６の（２）は、アーチ状ハウスで図５の水平パイプ１２の噴霧ノズルＮで散布して状態である。
図６の（３）は、平張りハウスの中で図４の鉛直パイプ１５の噴霧ノズルＮで散布している状態である。                                    
散布器の走行操作は、ハウスの外で行なうので、農薬の人体への付着や吸入は極めて少なく、安全である。
【００１９】
図７は、軸受け凹部１１の他の実施形態を示す側面図であり、（１）（２）（３）の順に軸パイプ１０を挿入し易いように、軸受け凹部１１の上側を斜めに形成してある。
また、軸受け凹部１１の前端の上向き突起１６が嵌入できるような凹部１７を軸パイプ10側に設けることによっても、軸１０の回転防止が可能である。
軸受け凹部１１に取付けて支持される部分だけを、回転不能なように四角状や凹部１７状に形成すれば足りるのであって、軸受け凹部１１に取付け支持される部分以外はアングル状でもパイプ状でも中実状でもよい。パイプ状の散布器１２を上向きコ字状の嵌め込み手段１４に回転不能に嵌入する場合も同じである。
【００２０】
図６のように農薬や肥料を散布しないときには、図８のようにゴンドラＧの上端に設けた軸パイプ１０を任意の軸受け凹部１１に嵌め込むだけで、運搬手段の移送に兼用できる。
なお本発明で「枠」とは「フレーム」と同じ意味である。
【産業上の利用可能性】
【００２１】
以上のように本考案によれば、簡易な構成により簡易型の散布装置や運搬装置を移送できる結果、農薬・肥料の散布や農作物の運搬などを安全容易に行え、作業効率・作業負担を軽減することができる等の効果が得られる。
【符号の説明】
【００２２】
Ｒ  ガイドレール
４  梁パイプ
６  コ字状ボルト
８  吊り枠
Ｗ  車輪
10  軸パイプ
11  軸受け凹部
12  水平のパイプ状散布器（水平の四角パイプ）
15  鉛直パイプ
【図１】
0003165420.tif 000003
【図２】
0003165420.tif 000004
【図３】
0003165420.tif 000005
【図４】
0003165420.tif 000006
【図５】
0003165420.tif 000007
【図６】
0003165420.tif 000008
【図７】
0003165420.tif 000009
【図８】
0003165420.tif 000010